(57)【要約】【課題】  新規な回路構成のローパスフィルタと方向性結合器を備えた高周波部品を提供し、そして、限られたスペース内で干渉を極力防ぎ、電気的特性の劣化を低減する高周波部品を提供することを目的とする。【解決手段】  【課題を解決するための手段】  第１のインダクタンス素子と、前記第１のインダクタンス素子と直列に接続される第２のインダクタンス素子と、前記第１及び第２のインダクタンス素子と並列接続される第１のキャパシタンス素子と、前記第１のインダクタンス素子と第２のインダクタンス素子との間からグランドに至る間に接続される第２のキャパシタンス素子とを有するローパスフィルタと、前記第１のインダクタンス素子と第３のインダクタンス素子とを結合させてなる方向性結合器を備えた高周波部品。【選択図】      図１
2005175655.tif 000002
【特許請求の範囲】
【請求項１】
第１のインダクタンス素子と、前記第１のインダクタンス素子と直列に接続される第２のインダクタンス素子と、前記第１及び第２のインダクタンス素子と並列接続される第１のキャパシタンス素子と、前記第１のインダクタンス素子と第２のインダクタンス素子との間からグランドに至る間に接続される第２のキャパシタンス素子とを有するローパスフィルタと、
前記第１のインダクタンス素子と第３のインダクタンス素子とを結合させてなる方向性結合器を備えたことを特徴とする高周波部品。
【請求項２】
前記第２のインダクタンス素子の前記第１のキャパシタンス素子と接続しない他端からグランドに至る間に第３のキャパシタンス素子を接続したことを特徴とする高周波部品。
【請求項３】
前記第１乃至第３のインダクタンス素子はそれぞれ伝送線路で形成されることを特徴とする請求項１又は２に記載の高周波部品。
【請求項４】
前記第１のインダクタンス素子を構成する伝送線路と、前記第２のインダクタンス素子を構成する伝送線路とは、異なる特性インピーダンスを有することを特徴とする請求項３に記載の高周波部品。
【請求項５】
前記伝送線路は誘電体と電極パターンを有する積層体に、前記電極パターンの一部であるライン電極で形成され、前記キャパシタンス素子は、前記電極パターンの一部であるコンデンサ電極で形成されていることを特徴とする請求項３又は４に記載の高周波部品。
【請求項６】
前記第２のインダクタンス素子を形成するライン電極は、第１のインダクタンス素子及び第３のインダクタンス素子を形成するライン電極と積層方向に重なり合わないことを特徴とする請求項５に記載の高周波部品。
【請求項７】
複数の誘電体層に形成された巻回するライン電極を、前記誘電体層に形成されたビアホールを介して接続して１ターン以上巻回したコイルとし、前記コイルを前記第３のインダクタンス素子としたことを特徴とする請求項５又は６に記載の高周波部品。
【請求項８】
前記第１乃至第３のインダクタンス素子を構成するライン電極の下側に、広がりを有するグランド電極と、該グランド電極と積層方向に対向する複数のコンデンサ電極を有し、前記コンデンサ電極と前記グランド電極とで前記第２及び第３のコンデンサを形成したことを特徴とする請求項５に記載の高周波部品。
【請求項９】
前記第２のインダクタンス素子と直列に接続されるスイッチング素子を有することを特徴とする請求項１乃至８のいずれかに記載の高周波部品。
【請求項１０】
前記第２のインダクタンス素子と直列に接続されるスイッチング素子を有し、前記グランド電極とその下側の誘電体層に形成された広がりを有する他のグランド電極との間に、第４のインダクタンス素子を構成するライン電極を有し、前記ライン電極に対し、上側のグランド電極が形成された誘電体層にはビアホールが形成されており、前記ビアホールを介して前記ライン電極と前記スイッチング素子が接続されることを特徴とする請求項８に記載の高周波部品。
【請求項１１】
請求項１乃至１０のいずれかに記載の高周波部品を、高周波回路部に用いたことを特徴とする携帯電話。
【発明の詳細な説明】
【技術分野】
【０００１】
本発明は携帯電話などの高周波回路において、不要な高周波信号を減衰させるフィルタや方向性結合器、さらには高周波スイッチを備えた高周波部品に関する。
【背景技術】
【０００２】
世界の携帯電話には種々のアクセス方式があり、またそれぞれの地域において複数のアクセス方式が混在している。たとえば、現在主流となっているアクセス方式の一つとしてＴＤＭＡ（Ｔｉｍｅ  Ｄｉｖｉｓｉｏｎ  Ｍｕｌｔｉｐｌｅ  Ａｃｃｅｓｓ、時分割多元接続）方式がある。このＴＤＭＡ方式を採用している主な通信方式として、日本のＰＤＣ（Ｐｅｒｓｏｎａｌ  Ｄｉｇｉｔａｌ  Ｃｅｌｌｕｌａｒ）、欧州を中心としたＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＤＣＳ１８００（Ｄｉｇｉｔａｌ  Ｃｅｌｌｕｌａｒ  Ｓｙｓｔｅｍ  １８００）、米国を中心としたＰＣＳ（Ｐｅｒｓｏｎａｌ  Ｃｏｍｍｕｎｉｃａｔｉｏｎｓ  Ｓｅｒｖｉｃｅ）などがある。
【０００３】
図１２は、ＴＤＭＡ方式の携帯電話における高周波回路部の回路ブロック例である。
この高周波回路部は、アンテナＡＮＴと接続し、前記アンテナＡＮＴと送信回路ＴＸ、受信回路ＲＸとの接続を切り替えるスイッチ１０、このスイッチ１０の送信信号の経路にパワーアンプ１５、ローパスフィルタ１１、方向性結合器１３を有し、受信信号の経路には、帯域通過フィルタ１２、ローノイズアンプ１６を有する。
前記パワーアンプ１５からは、送信周波数の信号（基本波）だけではなく、不要な２倍波、３倍波などの高調波がスイッチ１０へ漏れてくるため、アンテナからの不要放射を防ぐため、これら高調波を減衰させるようにローパスフィルタ１１が配置される。また、ローパスフィルタ１１とパワーアンプ１５の間には、方向性結合器１３を配置し、送信パワーの一部をＡＰＣ回路１４によりフィードバックして、送信パワーが所定の出力となるようにパワーアンプ１５を制御している。
【０００４】
携帯電話などの無線通信用機器は、常にその小型・軽量化が望まれる。これに伴い、高周波回路部に使用される部品の小型化や、部品点数の削減が求められている。しかしながら、従来必要であった機能を単純に削減することは出来ないため、複数の高周波部品を一つの部品として複合化あい小型・軽量化することが行われている。
引用文献１はその一例であって、ローパスフィルタと方向性結合器を複合一体化した高周波部品が開示されている。図１３は、その等価回路であって、コイルＬ１とグランドとの間にコンデンサＣ２、Ｃ３を配置し、このコイルＬ１と並列にコンデンサＣ１を接続してローパスフィルタを構成し、また前記コイルを一次コイルとし、これと磁気的に結合する二次コイルＬ３を設けて方向性結合器とし、これを誘電体と電極パターンからなる積層体に複合一体化している。
【特許文献１】特開平１０−１５４９１７号
【発明の開示】
【発明が解決しようとする課題】
【０００５】
特許文献１では、ローパスフィルタを構成する一次コイルＬ１と磁気的に結合する二次コイルＬ３を設けて方向性結合器を構成しているが、高周波部品が小型になるほど、前記二次コイルＬ３とローパスフィルタを構成する他の電極パターンとの干渉が生じ易く、前記二次コイルＬ３の特性インピーダンスが低下する場合があった。このため方向性結合器の方向性（ディレクティビティーとも呼ばれる）が劣化する問題や、ローパスフィルタとしての所望の高調波減衰量が得られず、また挿入損損失の劣化等の問題が生じる場合があった。
そこで本発明は、新規な回路構成のローパスフィルタと方向性結合器を備えた高周波部品を提供し、そして、限られたスペース内で干渉を極力防ぎ、電気的特性の劣化を低減する高周波部品を提供することを目的とする。
【課題を解決するための手段】
【０００６】
本発明は、第１のインダクタンス素子と、前記第１のインダクタンス素子と直列に接続される第２のインダクタンス素子と、前記第１及び第２のインダクタンス素子と並列接続される第１のキャパシタンス素子と、前記第１のインダクタンス素子と第２のインダクタンス素子との間からグランドに至る間に接続される第２のキャパシタンス素子とを有するローパスフィルタと、前記第１のインダクタンス素子と第３のインダクタンス素子とを結合させてなる方向性結合器を備えた高周波部品である。
【０００７】
本発明においては、前記第２のインダクタンス素子の前記第１のキャパシタンス素子と接続しない他端からグランドに至る間に、第３のキャパシタンス素子を接続するのが好ましい。
【０００８】
前記第１乃至第３のインダクタンス素子は、それぞれ伝送線路で形成し、前記第１のインダクタンス素子を構成する伝送線路と、前記第２のインダクタンス素子を構成する伝送線路とを、異なる特性インピーダンスとするのが好ましい。前記伝送線路は、誘電体と電極パターンを有する積層体に、前記電極パターンの一部であるライン電極で形成し、前記キャパシタンス素子は、前記電極パターンの一部であるコンデンサ電極で形成するのが好ましい。
前記積層体においては、前記第２のインダクタンス素子を形成するライン電極を、第１のインダクタンス素子及び第３のインダクタンス素子を形成するライン電極と積層方向に重なり合わない様に配置するのが好ましい。
【０００９】
前記積層体には、前記第１乃至第３のインダクタンス素子を構成するライン電極の下側に広がりを有するグランド電極と、該グランド電極と積層方向に対向する複数のコンデンサ電極を有し、前記コンデンサ電極と前記グランド電極とで前記第２及び第３のコンデンサを形成するのが好ましい。
また、複数の誘電体層に形成された巻回するライン電極を、前記誘電体層に形成されたビアホールを介して接続して１ターン以上巻回したコイルとし、前記コイルを前記第３のインダクタンス素子とするのも好ましい。
【００１０】
本発明においては、高周波スイッチを構成するスイッチング素子を前記第２のインダクタンス素子と直列に接続しても良い。
【００１１】
本発明においては、前記第２のインダクタンス素子と直列に接続されるスイッチング素子を有するようになし、前記グランド電極とその下側の誘電体層に形成された広がりを有する他のグランド電極との間に、第４のインダクタンス素子を構成するライン電極を有し、前記ライン電極に対し、上側のグランド電極が形成された誘電体層にはビアホールが形成し、前記ビアホールを介して前記ライン電極と前記スイッチング素子を接続するのが好ましい。
【発明の効果】
【００１２】
本発明の高周波部品によれば、新規な回路構成のローパスフィルタと方向性結合器を備えた高周波部品を提供し、そして、限られたスペース内で干渉を極力防ぎ、電気的特性の劣化を低減するローパスフィルタと方向性結合器を複合一体化した高周波部品を提供し、これを用いた携帯電話を提供することが出来る。
【発明を実施するための最良の形態】
【００１３】
本発明に係る高周波部品の実施例を以下詳細に説明する。
【実施例１】
【００１４】
第１の実施例として、図１にローパスフィルタと方向性結合器とを複合一体化した高周波部品の等価回路を示す。
この高周波部品１は、第１〜第３のインダクタンス素子Ｌ１，Ｌ２、Ｌ３、第１、第２のキャパシタンス素子Ｃ１，Ｃ２を主構成とする。
この高周波部品は、前記第１のインダクタンス素子Ｌ１と直列に接続される第２のインダクタンス素子Ｌ２と、前記第１及び第２のインダクタンス素子Ｌ１，Ｌ２と並列接続される第１のキャパシタンス素子Ｃ１と、前記第１のインダクタンス素子Ｌ１と第２のインダクタンス素子Ｌ２との間からグランドに至る間に接続されるシャントコンデンサである第２のキャパシタンス素子Ｃ２とでローパスフィルタを構成し、前記第１のインダクタンス素子Ｌ１と第３のインダクタンス素子Ｌ３とを磁気結合させて方向性結合器としている。前記第３のインダクタンス素子Ｌ３の一端とグランドとの間には、第３のインダクタンス素子の特性インピーダンスと略等しい抵抗が接続される。
高周波部品の第１のポートＰ１から入力した高周波電力の一部は、第１のインダクタンス素子Ｌ１と第３のインダクタンス素子Ｌ３で構成された方向性結合器によって、適宜設定された結合度に応じて取り出され、第３のポートＰ３に現れる。また前記第１、第２のインダクタンス素子Ｌ１，Ｌ２と第１のキャパシタンス素子Ｃ１との並列共振回路は、通過すべき基本波の第２次高調波を積極的に減衰させるような共振周波数に構成され、また前記第２のキャパシタンス素子Ｃ２とともに他の高調波成分を減衰させるので、第２のポートＰ２には高調波成分が減衰された高周波電力が出力される。
【００１５】
本発明においては、ローパスフィルタを構成するインダクタンス素子を第１、第２にインダクタンス素子Ｌ１，Ｌ２に分け、前記第１のインダクタンス素子Ｌ１と第３のインダクタンス素子Ｌ３を磁気結合させている。このように構成することで、第１のインダクタンス素子Ｌ１と第２のインダクタンス素子Ｌ２とを異なる特性インピーダンスを持つように構成することが出来る。このため、高周波部品において方向性結合器のインピーダンスを容易に調整することが出来、インピーダンスの不整合による方向性の劣化を減じることが出来る。
【００１６】
第１〜第３のインダクタンス素子Ｌ１，Ｌ２、Ｌ３は誘電体に伝送線路で形成するのが好ましく、前記伝送線路をライン電極として、スパイラル状、コイル状、ミアンダ状のストリップラインやマイクロストリップラインで構成するのが好ましい。
第１と第３のインダクタンス素子Ｌ１，Ｌ３を構成する伝送線路を誘電体の同一面上に配置して対向配置してもよいが、好ましくは、電極パターンと誘電体層との積層体の異なる層に、巻回するコイル状のライン電極として配置する。このように構成すれば、伝送線路のライン長を短く構成できるとともに、結合量の調整も容易となる。
また、第１、第２のインダクタンス素子Ｌ１，Ｌ２を構成する伝送線路を、積層体にライン電極として形成する場合には、第１のインダクタンス素子Ｌ１を形成するライン電極と、第２のインダクタンス素子Ｌ２を形成するライン電極とを、積層方向に重なり合わない様に配置し、極力浮遊容量を生じさせない様にし、また電磁気的な干渉を生じさせないようにするのが好ましい。
【００１７】
前記積層体は、例えば１０００℃以下で低温焼結が可能なセラミック誘電体材料からなり、厚さが１０μｍ〜２００μｍのグリーンシートに、低抵抗率のＡｇやＣｕ等の導伝ペーストで、インダクタンス素子やキャパシタンス素子を構成する所定の電極パターンを形成し、複数のグリーンシートを適宜一体的に積層し、焼結することにより製造することが出来る。
前記誘電体材料としては、例えばＡｌ、Ｓｉ、Ｓｒを主成分として、Ｔｉ、Ｂｉ、Ｃｕ，Ｍｎ，Ｎａ、Ｋを副成分とする材料や、Ａｌ、Ｓｉ，Ｓｒを主成分として、Ｃａ，Ｐｂ，Ｎａ，Ｋを複成分とする材料や、Ａｌ，Ｍｇ，Ｓｉ，Ｇｄを含む材料や、Ａｌ，Ｓｉ、Ｚｒ，Ｍｇ含む材料が用いられ、誘電率は５〜１５程度の材料を用いる。なお、セラミック誘電体材料の他に、樹脂積層基板や、樹脂とセラミック誘電体粉末を混合してなる複合材料を用いてなる積層基板を用いることも可能である。また、前記積層体をＨＴＣＣ（高温同時焼成セラミック）技術を用いて、誘電体材料をＡｌ２Ｏ３を主体とするものとし、伝送線路等をタングステンやモリブデン等の高温で焼結可能な金属導体として構成しても良い。  
【実施例２】
【００１８】
第２の実施例として、図２に示す高周波部品がある。この高周波部品は、前記した図１の高周波部品とほぼ同じ構成であるが、更に第２のインダクタンスの第２のポートＰ２側とグランドのとの間に、第３のキャパシタンス素子Ｃ３を備える点で異なる。この第３のキャパシタンス素子Ｃ３で、ローパスフィルタの減衰量を調整したり、第２のポートＰ２側から見たインピーダンスを調整する。このように構成することで、実施例１のものと比べて高周波部品のインピーダンス調整が容易となる。
【実施例３】
【００１９】
第３の実施例として、図３に回路ブロックとして示す高周波部品がある。この高周波部品は、ローパスフィルタ１１、方向性結合器１３に、更に高周波スイッチ１０を複合したものである。ローパスフィルタ１１及び方向性結合器１３は高周波スイッチ１０のアンテナＡＮＴから送信回路の信号経路に配置されるが、本回路ブロックではローパスフィルタ１１及び方向性結合器１３を、高周波スイッチ１０の送信回路側に配置している。
ローパスフィルタ１１、方向性結合器１３は前記した図１、或いは図２の等価回路の構成であり、高周波スイッチ１０は、例えば図４〜図６に等価回路を示す、ダイオードやトランジスタ等のスイッチング素子を主構成とするものである。なお高周波スイッチには、さらにインダクタンス素子、キャパシタンス素子等が用いられる事もある。図４〜図６で例示した高周波スイッチは、ＳＰＤＴスイッチであるが、ＳＰ３Ｔ、ＳＰ４Ｔ等、他の高周波スイッチであっても良く、本発明において、高周波スイッチの構成は特に限定されるものではない。
【００２０】
図７は、本実施例に係る高周波部品の等価回路である。ここでは、高周波スイッチ１０として図４に示すダイオードスイッチを用いた。前記高周波スイッチは、スイッチング素子（ダイオード）Ｄｇ１，Ｄｇ２と、インダクタンス素子Ｌｇ１、Ｌｇ２、キャパシタンス素子Ｃｇ１，Ｃｇ２，Ｃｇ３，Ｃｇ４、抵抗Ｒｇ１を備える。前記インダクタンス素子Ｌｇ１、Ｌｇ２は伝送線路やインダクタで構成される。高周波スイッチの送信側ポート１０ｃは、第２のポートＰ２を介してローパスフィルタの第２のインダクタンス素子Ｌ２と接続される。その際に、キャパシタンス素子Ｃ３を適宜調整することで、高周波スイッチとローパスフィルタとのインピーダンス整合を容易に行うことが出来る。
【実施例４】
【００２１】
第４の実施例として、ローパスフィルタ１１、方向性結合器１３、高周波スイッチ１０を複合した他の例を示す。図８はその等価回路例であり、高周波スイッチとローパスフィルタ、方向性結合器を複合的に構成した高周波部品である。
前記高周波スイッチ１０は、スイッチング素子（ダイオード）Ｄｇ１，Ｄｇ２と、インダクタンス素子Ｌｇ１、Ｌｇ２、キャパシタンス素子Ｃｇ１，Ｃｇ２，Ｃｇ３，Ｃｇ４、抵抗Ｒｇ１を備えるものであり、ポートＶｃ１に接続されたコントロール回路からの電圧により、ダイオードＤｇ１，Ｄｇ２をＯＮしてＡＮＴ−ＴＸ間を接続し、前記ダイオードをＯＦＦしてＡＮＴ−ＲＸ間を接続する。前記ダイオードＤｇ２とインダクタンス素子Ｌｇ２の間には、ローパスフィルタ、方向性結合器を構成する第１及び第２のインダクタンス素子Ｌ１，Ｌ２が配置される。
前記第１及び第２のインダクタンス素子Ｌ１，Ｌ２を含み、図中破線で囲ったローパスフィルタ、方向性結結合器を構成する部分は、前記実施例２で開示した高周波部品と同一の回路構成を有する。
【００２２】
本発明に係る高周波部品を、低温焼結可能なセラミック誘電体材料と、Ａｇを主体とする導電ペーストで形成される電極パターンからなる積層体として構成した。図９は、その斜視図であり、図１０は前記積層体の各層の構成を示す展開図である。
高周波スイッチを構成するスイッチング素子Ｄｇ１，Ｄｇ２は、積層体に実装され、インダクタンス素子Ｌｇ１やキャパシタンス素子Ｃｇ４が、前記積層体に電極パターンで構成される。一部のインダクタンス素子Ｌｇ２、キャパシタンス素子Ｃｇ１，Ｃｇ２が、チップ部品として前記ダイオードとともに積層体に実装される。また、ローパスフィルタ、方向性結合器を構成する第１乃至第３のインダクタンス素子Ｌ１〜Ｌ３、第１乃至第３のキャパシタンス素子Ｃ１〜Ｃ３は、前記積層体に電極パターンで構成され、終端抵抗Ｒが前記積層体に実装される。
【００２３】
この積層体の内部構造について図１０をもとに積層順に説明する。
まず下層の誘電体層１８には、広がりを有する導体層で形成されたグランド電極ＧＮＤが形成されている。またその裏面側には、回路基板に実装するための端子電極ＲＸ、ＴＸ、ＡＮＴ、Ｃｏｕｐｌ、Ｖｃ１、ＧＮＤが形成されている。
誘電体層１８の上には誘電体層１５〜１７が積層される。この誘電体層１５〜１７には、高周波スイッチのインダクタンス素子Ｌｇ１を構成する伝送線路がコイル状、或いはスパイラル状のライン電極として形成され、ビアホール電極（図中黒丸で表示）により接続されている。なお前記ライン電極はミアンダ状であっても良いが、ライン電極を短く構成しようとすれば、コイル状、或いはスパイラル状に巻回するように構成するのが好ましい。
誘電体層１５の上には、前記インダクタンス素子Ｌｇ１のインピーダンス調整用のダミー層（誘電体層１４）を介して、広がりを有する導体層で形成されたグランド電極ＧＮＤが形成された誘電体層１３が積層される。高周波スイッチのインダクタンス素子Ｌｇ１（第４のインダクタンス素子）を構成するライン電極はグランド電極ＧＮＤで挟み、ローパスフィルタ、方向性結合器を構成する電極パターンとの干渉を防いでいる。
誘電体層１２には高周波スイッチのキャパシタンス素子Ｃｇ４を構成する電極パターン（コンデンサ電極）が形成され、誘電体層１２にはグランド電極ＧＮＤ形成され、誘電体層１３のグランド電極ＧＮＤとで前記コンデンサ電極を挟んでいる。
誘電体層９、１０にはローパスフィルタの第１乃至第３のキャパシタンス素子Ｃ１〜Ｃ３を構成するコンデンサ電極が形成され、誘電体層１２のグランド電極ＧＮＤと誘電体層１０のコンデンサ電極とで第２、第３のキャパシタンス素子Ｃ２、Ｃ３を形成している。また誘電体層１０のコンデンサ電極と誘電体層９のコンデンサ電極とで第１のキャパシタンス素子Ｃ１を形成している。
【００２４】
誘電体層６〜８には第２、第３のインダクタンス素子Ｌ２，Ｌ３を構成する伝送線路がライン電極として形成され、接続線路が形成された誘電体層５を介して誘電体層４には、第１、第２のインダクタンス素子Ｌ１，Ｌ２を構成するライン電極が形成される。誘電体層４〜８を積層方向に見て、記第２のインダクタンス素子Ｌ２を形成するライン電極は、第１のインダクタンス素子Ｌ１及び第３のインダクタンス素子Ｌ３を形成するライン電極と積層方向に重なり合わないように配置されている。このように構成することで、互いの干渉を低減させ、ローパスフィルタ、方向性結合器、それぞれの特性を損ねないようにしている。そして、第１、第２のインダクタンス素子Ｌ１，Ｌ２を構成するライン電極が、平面的に分かれて形成されているので、それぞれの特性インピーダンスの調整が容易となる。なお特性インピーダンスの調整は、ライン電極の幅を変更したり、ライン電極とグランド電極の間隔を変更したりすることで容易に行うことが出来る。
方向性結合器を構成する第１のインダクタンス素子Ｌ１と第３のインダクタンス素子Ｌ３を構成するライン電極は、誘電体層介して磁気結合するように、積層方向に重なり合わせて配置される。結合量は、前記誘電体層により決まるライン電極間隔や、ライン電極が互いに対向する面積により適宜設定される。
このように構成することで、積層体内に方向性結合器、ローパスフィルタをライン電極、コンデンサ電極をコンパクトに構成することができる。
そして、誘電体層２、３には誘電体層１に形成されたチップ部品実装のためのランド電極と、前記伝送線路等との接続線路パターンが形成されている。
【００２５】
第２、３のインダクタンス素子Ｌ２、Ｌ３を構成する電極パターンの線路幅を０．１ｍｍとし、第１のインダクタンス素子Ｌ１を構成する電極パターンの線路幅を０．１ｍｍ、０．１２ｍｍ、０．１４ｍｍとし、第１のインダクタンス素子Ｌ１の特性インピーダンスを第２のインダクタンス素子Ｌ２の特性インピーダンスよりも、相対的に低インピーダンスとなる様にした場合の方向性の周波数特性を図１１に示す。
【００２６】
なお方向性は次式で与えられる。本発明に係る高周波部品では、周波数帯域（８０６ＭＨｚ〜９２８ＭＨｚ）で、少なくとも２０ｄＢ以上が要求される。
方向性＝（アンテナポートＡＮＴと第３のポートＰ３との間のアイソレーション）−（カップリング量）
【００２７】
本実施例によれば、第２のインダクタンス素子Ｌ２を構成する電極パターンの線路幅を幅広（低ピンピーダンス）にするほど、前記周波数帯域における方向性が改善されるのが判る。第１のインダクタンス素子Ｌ１の線路幅は、０．１４ｍｍを超え０．１６ｍｍまで幅広化することが出来、減衰極はさらに高周波側に移動する。線路幅が０．１６ｍｍを超えると所望の方向性が得られなくとなるとともに、送信ポートＴＸから見たインピーダンスが低下し、挿入損失が劣化し始めるので好ましくない。
なお、前記各インダクタンス素子の線路幅は、本実施例に限定されることは無く、高周波部品が使用される周波数や、誘電体の誘電特性、積層体内における電極パターンの配置等々により適宜設定されるものである。
【実施例５】
【００２８】
実施例４の高周波部品を、図１２に示すＴＤＭＡ方式の携帯電話における高周波回路部に用いて、携帯電話を構成した。携帯電話においては、アンテナ側のインピーダンス変動に伴い、送信電力の一部が反射電力として送信信号の経路に現れる場合があるが、本発明の高周波部品は、小型でありながら方向性などの電気的特性に優れるため、パワーアンプ１５に前記反射電力が入力するのを低減し、前記パワーアンプ１５の損傷を防ぐことが出来る。
【産業上の利用可能性】
【００２９】
本発明よれば、新規な構成の方向性結合器とローパスフィルタを備えた高周波部品を提供し、これを限られたスペース内で干渉を極力防ぎ、電気的特性の劣化を低減するとともに、これを用いた携帯電話を提供することが出来る。
【図面の簡単な説明】
【００３０】
【図１】本発明の一実施例に係る高周波部品の等価回路図である。
【図２】本発明の一実施例に係る他の高周波部品の等価回路図である。
【図３】本発明の一実施例に係る高周波部品の回路ブロック図である。
【図４】本発明の一実施例に係る高周波部品を構成するスイッチの等価回路である。
【図５】本発明の一実施例に係る高周波部品を構成するスイッチの等価回路である。
【図６】本発明の一実施例に係る高周波部品を構成するスイッチの等価回路である。
【図７】本発明の一実施例に係る他の高周波部品の等価回路図である。
【図８】本発明の一実施例に係る他の高周波部品の等価回路図である。
【図９】本発明の一実施例に係る高周波部品の外観斜視図である。
【図１０】本発明の一実施例に係る高周波部品に用いる積層体の分解斜視図である。
【図１１】本発明の一実施例に係る高周波部品の方向性の周波数特性図である。
【図１２】携帯電話の高周波回路部の一例を示す回路ブロック図である。
【図１３】従来のローパスフィルタを備えた方向性結語右記の等価回路である。
【符号の説明】
【００３１】
１  高周波部品
１０  スイッチ
１１  ローパスフィルタ
１３  方向性結合器
【図１】
2005175655.tif 000003
【図２】
2005175655.tif 000004
【図３】
2005175655.tif 000005
【図４】
2005175655.tif 000006
【図５】
2005175655.tif 000007
【図６】
2005175655.tif 000008
【図７】
2005175655.tif 000009
【図８】
2005175655.tif 000010
【図９】
2005175655.tif 000011
【図１０】
2005175655.tif 000012
【図１１】
2005175655.tif 000013
【図１２】
2005175655.tif 000014
【図１３】
2005175655.tif 000015